(57)【要約】【課題】  ハードディスクに割り当てられた記憶容量よりも大きいデータ量のデータの追いかけ再生を可能にする。【解決手段】  ＨＤＤ２１には、割り当てられた記憶容量に空きがあれば、入力データが記録され、空きがない場合に記録データのうち追いかけ再生済みのものがあれば、これを消去して入力データが記録され、空きがない場合にデータの先頭から記憶容量分の追いかけ再生が終了しておれば、記録データのうち最も古いものを消去して入力データが記録される。ＤＶＤ２２には、ＤＶＤ２２から追いかけ再生中でなければ入力データが記録され、データ入力終了後にＤＶＤ２２に未記録のデータ部分があれば、この部分がＨＤＤ２１からコピーされる。追いかけ再生すべきデータがＨＤＤ２１にあれば、ＨＤＤ２１から追いかけ再生が行われ、ないときはＤＶＤ２２から追いかけ再生が行われる。【選択図】      図１
2005033663.tif 000002
【特許請求の範囲】
【請求項１】
入力されるデータを記録および再生するデータ記録再生装置であって、
記録及び再生を同時に行い得る第１記録媒体に前記データの記録を行うための第１記録手段と、
記録及び再生を選択的にのみ行い得る第２記録媒体に前記データの記録を行うための第２記録手段と、
前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行うための追いかけ再生手段と、を備え、
前記第１記録手段は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、
前記第２記録手段は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、
前記追いかけ再生手段は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うデータ記録再生装置。
【請求項２】
前記第１記録手段は、前記記憶容量を前記データごとに、当該データの全記録時間の３分の１以上１未満の記録時間に相当する大きさに設定する請求項１に記載のデータ記録再生装置。
【請求項３】
前記第１記録手段は、前記記憶容量を前記データごとに、当該データの全記録時間の３分の１の記録時間に相当する大きさに設定する請求項２に記載のデータ記録再生装置。
【請求項４】
前記第２記録媒体がリムーバブル型の記録媒体である請求項１ないし３のいずれかに記載のデータ記録再生装置。
【請求項５】
前記第１記録媒体が前記データ記録再生装置に設けられた据え置き型の記録媒体である請求項１ないし４のいずれかに記載のデータ記録再生装置。
【請求項６】
入力されるデータを記録および再生するデータ記録再生装置を、
記録及び再生を同時に行い得る第１記録媒体に前記データの記録を行うための第１記録手段と、
記録及び再生を選択的にのみ行い得る第２記録媒体に前記データの記録を行うための第２記録手段と、
前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行うための追いかけ再生手段として機能させるデータ記録再生装置用プログラムであって、
前記第１記録手段は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、
前記第２記録手段は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、
前記追いかけ再生手段は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うデータ記録再生装置用プログラム。
【請求項７】
入力されるデータを記録および再生するデータ記録再生方法であって、
記録及び再生を同時に行い得る第１記録媒体に前記データの記録を行う第１記録工程と、
記録及び再生を選択的にのみ行い得る第２記録媒体に前記データの記録を行う第２記録工程と、
前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行う追いかけ再生工程と、を備え、
前記第１記録工程は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、
前記第２記録工程は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、
前記追いかけ再生工程は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うデータ記録再生方法。
【発明の詳細な説明】
【技術分野】
【０００１】
本発明は、追いかけ再生が可能なデータ記録再生装置、データ記録再生装置用プログラムおよびデータ記録再生方法に関する。
【背景技術】
【０００２】
ＴＶ放送などにより供給され音声および画像を含む番組データを、記録媒体へ記録する機能とともに、記録した番組データを再生する機能を有する番組記録再生装置について、追いかけ再生のできるものが知られている。追いかけ再生とは、番組データを記録しつつ、すでに記録された部分の再生を同時に行う機能をいい、より詳細には、番組データの記録が終了するより前に開始され、記録された番組データの再生を行う機能をいう。番組データの記録が終了した後に継続する再生についても、記録の終了前に記録された部分の再生が開始されておれば、追いかけ再生に該当する。
【０００３】
この種の従来の番組記録再生装置は、例えば特許文献１に開示されるように、ハードディスクを備えており、リムーバブル（着脱可能）な記録媒体である磁気テープへ番組データを記録する際に、それと同時にハードディスクにも記録し、記録中のハードディスクから同時に再生を行うことによって追いかけ再生を実現している。この従来技術は、磁気テープとは異なり記録と再生とが同時に行い得るというハードディスクの特性を利用したものである。
【特許文献１】特開２００２−２３０９００号公報
【発明の開示】
【発明が解決しようとする課題】
【０００４】
しかしながら、従来の番組記録再生装置では、記録すべき番組データのすべてを記録することを可能にするだけの空き領域が、磁気テープだけでなくハードディスクにも必要であるという問題点があった。すなわち、１２０分の長さの番組データを記録するためには、ハードディスクには１２０分の長さの番組データを記録し得るだけの空き領域がなければならないという問題点があった。追いかけ再生だけのために、数Ｇバイト〜数十Ｇバイトの記憶容量を確保しておくのは、コスト面から望ましくない。
【０００５】
本発明は上記の問題点に鑑みてなされたもので、記録と再生とが同時に可能な記録媒体に割り当てられた記憶容量よりも大きいデータ量のデータの追いかけ再生を可能にするデータ記録再生装置、データ記録再生装置用プログラムおよびデータ記録再生方法を提供することを目的とする。
【課題を解決するための手段】
【０００６】
上記課題を解決し上記目的を達成するために、請求項１に記載の発明は、入力されるデータを記録および再生するデータ記録再生装置であって、記録及び再生を同時に行い得る第１記録媒体に前記データの記録を行うための第１記録手段と、記録及び再生を選択的にのみ行い得る第２記録媒体に前記データの記録を行うための第２記録手段と、前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行うための追いかけ再生手段と、を備え、前記第１記録手段は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、前記第２記録手段は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、前記追いかけ再生手段は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うものである。
【０００７】
また、請求項２に記載の発明は、請求項１に記載のデータ記録再生装置であって、前記第１記録手段が、前記記憶容量を前記データごとに、当該データの全記録時間の３分の１以上１未満の記録時間に相当する大きさに設定するものである。
【０００８】
請求項３に記載の発明は、請求項２に記載のデータ記録再生装置であって、前記第１記録手段が、前記記憶容量を前記データごとに、当該データの全記録時間の３分の１の記録時間に相当する大きさに設定するものである。
【０００９】
請求項４に記載の発明は、請求項１ないし３のいずれかに記載のデータ記録再生装置であって、前記第２記録媒体がリムーバブル型の記録媒体であるものである。
【００１０】
請求項５に記載の発明は、請求項１ないし４のいずれかに記載のデータ記録再生装置であって、前記第１記録媒体が前記データ記録再生装置に設けられた据え置き型の記録媒体であるものである。
【００１１】
請求項６に記載の発明は、入力されるデータを記録および再生するデータ記録再生装置を、記録及び再生を同時に行い得る第１記録媒体に前記データの記録を行うための第１記録手段と、記録及び再生を選択的にのみ行い得る第２記録媒体に前記データの記録を行うための第２記録手段と、前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行うための追いかけ再生手段として機能させるデータ記録再生装置用プログラムであって、前記第１記録手段は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、前記第２記録手段は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、前記追いかけ再生手段は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うものである。
【００１２】
請求項７に記載の発明は、入力されるデータを記録および再生するデータ記録再生方法であって、記録及び再生を同時に行い得る第１記録媒体に前記データの記録を行う第１記録工程と、記録及び再生を選択的にのみ行い得る第２記録媒体に前記データの記録を行う第２記録工程と、前記第１記録媒体および前記第２記録媒体に記録されたデータの追いかけ再生、すなわち前記第１または第２記録媒体への前記データの記録のいずれもが終了するより前に開始され、記録された前記データについて行われる再生、を行う追いかけ再生工程と、を備え、前記第１記録工程は、前記第１記録媒体の割り当てられた記憶容量に空きがあれば、入力される前記データを記録し、前記記憶容量に空きがない場合に、記録されたデータのうち追いかけ再生済みのものがあれば、これを消去して入力される前記データを記録し、前記記憶容量に空きがない場合に、前記データの先頭から前記記憶容量分の追いかけ再生が終了しておれば、記録されているデータのうち最も古いものを消去して入力される前記データを記録し、前記第２記録工程は、前記第２記録媒体からデータの追いかけ再生が行われていなければ入力される前記データを記録し、前記データの入力が終了した後に前記データのうち前記第２記録媒体に記録されていない部分があれば、この部分を前記第１記録媒体から読み出して記録し、前記追いかけ再生工程は、追いかけ再生すべきデータが前記第１記録媒体にあるときは前記第１記録媒体から前記データの追いかけ再生を行い、追いかけ再生すべきデータが前記第１記録媒体にないときは前記第２記録媒体から前記データの追いかけ再生を行うものである。
【発明の効果】
【００１３】
請求項１に記載の発明によれば、記録と再生が同時に可能な第１記録媒体には、割り当てられた記憶容量に空きがあれば、入力されるデータが記録され、記憶容量に空きがない場合に、記録されたデータのうち追いかけ再生済みのものがあれば、これを消去して入力されるデータが記録され、記憶容量に空きがない場合に、データの先頭から記憶容量分の追いかけ再生が終了しておれば、記録されているデータのうち最も古いものを消去して入力されるデータが記録され、記録と再生が選択的にのみ可能な第２記録媒体については、この第２記録媒体からのデータの追いかけ再生が行われていなければ入力されるデータが記録され、データの入力が終了した後に第２記録媒体に記録されていないデータの部分があれば、この部分が第１記録媒体から読み出されて記録され、追いかけ再生については、追いかけ再生すべきデータが第１記録媒体にあるときは第１記録媒体からデータの追いかけ再生が行われ、追いかけ再生すべきデータが第１記録媒体にないときは第２記録媒体からデータの追いかけ再生が行われるので、記録と再生とが同時に可能な第１記録媒体に割り当てられた記憶容量の最大３倍のデータ量のデータを、任意の時点から追いかけ再生しつつ、記録と再生とが選択的にのみ可能な第２記録媒体に記録することができる。
【００１４】
請求項２に記載の発明によれば、第１記録媒体に割り当てられる記憶容量がデータごとに、データの全記録時間の３分の１以上１未満の記録時間に相当する大きさに設定されるので、データの全記録時間よりも少ない記録時間に相当する記憶容量で、全記録時間のデータを任意の時点から追いかけ再生しつつ第２記録媒体に記録することができる。
【００１５】
請求項３に記載の発明によれば、第１記録媒体に割り当てられる記憶容量がデータごとに、データの全記録時間の３分の１の記録時間に相当する大きさに設定されるので、データの全記録時間の３分の１の記録時間に相当する記憶容量で、全記録時間のデータを任意の時点から追いかけ再生しつつ第２記録媒体に記録することができる。
【００１６】
請求項４に記載の発明によれば、第２記録媒体がリムーバブル型の記録媒体であるので、データの先頭から最終まで漏れなく記録される第２記録媒体を保存用として使用することができる。
【００１７】
請求項５に記載の発明によれば、リムーバブルにする必要性の低い第１記録媒体が据え置き型としてデータ記録再生装置に備わるので、無用なコストを削減することができる。
【００１８】
請求項６に記載の発明によれば、データ記録再生装置が上記各手段として機能するので、記録と再生とが同時に可能な第１記録媒体に割り当てられた記憶容量の最大３倍のデータ量のデータを、任意の時点から追いかけ再生しつつ、記録と再生とが選択的にのみ可能な第２記録媒体に記録することができる。
【００１９】
請求項７に記載の発明によれば、データ記録再生方法が上記各工程を備えるので、記録と再生とが同時に可能な第１記録媒体に割り当てられた記憶容量の最大３倍のデータ量のデータを、任意の時点から追いかけ再生しつつ、記録と再生とが選択的にのみ可能な第２記録媒体に記録することができる。
【発明を実施するための最良の形態】
【００２０】
［１．装置の構成］
図１は、本発明の実施の形態によるデータ記録再生装置の構成を示すブロック図である。このデータ記録再生装置は、ＴＶ放送を通じて供給される番組データの記録及び再生を行う番組記録再生装置２００として構成されており、ＨＤＤ読み書き部１、ＤＶＤ読み書き部２、番組データ入力部３、番組データ出力部４、複写部５、操作受付部７、制御部１０、ハードディスク２１およびチューナ２３を備えている。番組記録再生装置２００を使用する際には、ＤＶＤ読み書き部２には、リムーバブルで書換え可能な記録媒体であるＤＶＤ記録媒体２２が脱着自在に接続される。また、チューナ２３には放送電波を受信するためのアンテナ２５が接続される。さらに、番組データ出力部４には、出力される番組データを画像表示するためのディスプレー２４が接続される。
【００２１】
ＨＤＤ読み書き部１は、ハードディスク２１に対して番組データの読み書きを行う。ハードディスク２１は、番組データを記録すると同時に再生することが可能な記録媒体であり、ＨＤＤ読み書き部１は、追いかけ再生を行う際に、ハードディスク２１に対する番組データの読み出しおよび書き込みを同時に行うことができる。ここで、ハードディスク２１に対して「記録と再生とを同時に行う」とは、より詳細には、ハードディスク２１では２倍速での記録および再生が可能であるために、微小な時間間隔で時間分割を行い、記録と再生とを交互に行うことにより、実用上「同時」に記録および再生を行うことを意味する。本明細書において「記録と再生とを同時に行う」とは、厳密な意味で記録と再生とを同時に行う形態だけでなく、上記のように時間分割により実質的に記録と再生とを同時に行う形態をも包含する。
【００２２】
ＤＶＤ読み書き部２は、ＤＶＤ記録媒体２２に対して番組データの読み書きを行う。ＤＶＤ記録媒体２２は、ハードディスク２１とは異なり、番組データの記録と再生とを同時には行い得ず、それらの一方のみを選択的に行い得る。また、ＤＶＤ記録媒体２２は、番組記録再生装置２００に内蔵ないし取り付けられた据え置き型の（すなわちリムーバブルでなはい）ハードディスク２１とは異なり、リムーバブルな記録媒体であり、ユーザが番組データの保存用として使用することが想定されている。したがって、追いかけ再生を行った場合においても、記録が指定された番組データは番組終了後にはすべてＤＶＤ記録媒体２２に記録される。
【００２３】
番組データ入力部３は、アンテナ２５およびチューナ２３を通じて入力される番組データを、ＨＤＤ読み書き部１およびＤＶＤ読み書き部２の一方又は両方へ振り分けることにより、ハードディスク２１およびＤＶＤ記録媒体２２の一方又は両方へ記録させる。番組データ出力部４は、ＨＤＤ読み書き部１およびＤＶＤ読み書き部２のいずれかが読み出した番組データを、ディスプレー２４へ出力する。複写部５は、ＨＤＤ読み書き部１がハードディスク２１から読み出した番組データを、ＤＶＤ読み書き部２へ受け渡すことにより、ＤＶＤ記録媒体２２へコピーさせる。制御部１０は、各装置部の動作を制御する。操作受付部７は、遠隔操作機器（いわゆる、リモコン）等のユーザの操作内容（例えば、記録および再生の開始指示や終了指示など）を表現する信号を制御部１０へ伝える。制御部１０は、操作受付部７からの信号にもとづいて、装置各部の動作を制御する。番組記録再生装置２００の各部は、ソフトウェアを要しないハードウェアで構成されても良いが、記録媒体であるハードディスク２１を除いて、ソフトウェアにもとづいて動作するコンピュータにより構成しても良い。
【００２４】
図２は、追いかけ再生に関連した番組記録再生装置２００の特徴的機能を実現する要素と図１の各要素との関係を示すブロック図である。図２が示すように、制御部１０、ＨＤＤ読み書き部１および番組データ入力部３は、ＨＤＤ記録部１１を構成し、制御部１０、ＤＶＤ読み書き部２，番組データ入力部３および複写部５は、ＤＶＤ記録部１２を構成する。また、制御部１０、ＨＤＤ読み書き部１およびＤＶＤ読み書き部２は、追いかけ再生部１３を構成する。ＨＤＤ記録部１１、ＤＶＤ記録部１２および追いかけ再生部１３は、以下に述べるようにハードディスク２１に割り当てられた記憶容量の３倍のデータ量の番組データの追いかけ再生を可能にする。
【００２５】
［２．装置の動作］
番組記録再生装置２００では、ユーザがＤＶＤ記録媒体２２への番組データの記録（いわゆる録画）を指示した場合、あるいはユーザが予約していた記録時間が到来した場合等に、チューナ２３から入力される番組データが、番組データ入力部３によってＨＤＤ記録部１１とＤＶＤ記録部１２の一方または双方に伝えられる。それによって、番組データがハードディスク２１とＤＶＤ記録媒体２２の一方又は双方に記録される。そして、番組データの記録中にユーザから記録中の番組データの再生（いわゆる追いかけ再生）の指示があった場合には、ハードディスク２１とＤＶＤ記録媒体２２のいずれか一方が選択され、選択された記録媒体から番組データが読み出され、番組データ出力部４を通じてディスプレー２４へ出力される。それによって、番組記録再生装置２００は、ハードディスク２１に割り当てられた記憶容量を超える（最大３倍の）データ量の番組データの追いかけ再生を可能にしている。以下に、番組記録再生装置２００の動作について詳述する。
【００２６】
図３、図４および図５は、それぞれＨＤＤ記録部１１、ＤＶＤ記録部１２および追いかけ再生部１３による処理の手順を示すフローチャートである。また、図６〜図８は、これらの手順にもとづいて行われる番組データの記録および再生の動作を説明するタイミングチャートである。図３〜図５は、いずれもループに沿って循環的に処理が進行する。このループは、番組データのあるデータ単位毎、例えば１画面毎あるいは１ＧＯＰ（Group Of Picture）毎に反復される。
【００２７】
図６〜図８では、一例としてハードディスク２１には４０分の長さの番組データを記録可能な記憶容量が割り当てられているものとし、その記憶容量で追いかけ再生を実現し得る最大長さである１２０分（＝４０分の３倍）の番組データを記録する場合を取り上げる。図６〜図８において、横軸は番組データを記録開始した後の経過時間（実時間）を表し、縦軸は番組の経過時間を表している。また、実線矢印はハードディスク２１による記録および再生を表し、破線矢印はＤＶＤ記録媒体２２による記録および再生を表している。また、ハッチングを付した領域は、ハードディスク２１に記録されている時間領域を表している。
【００２８】
番組データの記録開始後にユーザの任意の指示にもとづき追いかけ再生を開始する時期によって、記録および再生のパターンが３通りに異なる。図６〜図８は、これら３通りのパターンを描き分けたものである。すなわち、図６は追いかけ再生が記録開始から４０分経過前に開始された場合、図７は４０分経過時から８０分経過前に開始された場合、図８は８０分経過時ないしそれ以後に開始された場合の記録・再生のパターンを表している。
【００２９】
［2.1.追いかけ再生開始が早い場合］
（時刻０〜ｔ１）
はじめに図６のパターンに沿って図３〜図５の処理手順を説明する。図６では、０≦ｔ１＜４０分である時刻ｔ１に追いかけ再生が開始される。図３が示すように、ＨＤＤ記録部１１は、番組データの記録が開始されると、割り当てられた記憶容量に空き領域、すなわち新たな番組データを記録可能な領域があるか否かを判定する（ステップＳ１１）。記録を開始する時点（時刻０）では、割り当てられた記憶容量のすべてが空き領域であるため、ＨＤＤ記録部１１は、処理をステップＳ１２へ進め、番組データをハードディスク２１へ記録する。したがって、時刻０においてハードディスク２１への番組データの記録３１が開始される。記録開始から４０分まで（時刻０〜４０分）は、記憶容量には空き領域が存在するので、ステップＳ１１〜Ｓ１２のループが反復して実行される結果、記録３１が継続して行われる。
【００３０】
なお、記憶容量が割り当てられるとは、より具体的には、その記憶容量分の記憶領域が割り当てられることであり、記憶容量に空き領域あるいは番組データが存在するとは、割り当てられた記憶領域に空き領域あるいは番組データが存在することを意味する。表現を簡素化するために便宜上、記憶容量に空き領域あるいは番組データが存在する、あるいは存在しない、という表現を用いる。
【００３１】
図４が示すようにＤＶＤ記録部１２は、番組データの記録が開始されると、ＤＶＤ記録媒体２２から再生が行われているか否かを判定する（ステップＳ２１）。追いかけ再生の開始時刻ｔ１以前には、番組データの再生は行われないので、ＤＶＤ記録部１２は、処理をステップＳ２２へ進め、番組が終了しているか否か、すなわち予定された１２０分の番組データの記録が終了しているか否かを判定する。時刻１２０分以前には記録は終了していないから、ＤＶＤ記録部１２は番組データをＤＶＤ記録媒体２２へ記録する（ステップＳ２３）。したがって、時刻０においてＤＶＤ記録媒体２２への番組データの記録３２が開始される。時刻０〜ｔ１では、番組データの再生は行われないので、ステップＳ２１〜Ｓ２３のループが反復して実行される結果、記録３２が継続して行われる。
【００３２】
（時刻ｔ１〜４０分）
時刻ｔ１〜４０分の期間では、ＨＤＤ記録部１１は上記の通り、ハードディスク２１への記録３１を継続する。一方、追いかけ再生が時刻ｔ１に開始されるので、追いかけ再生部１３は、図５の処理、すなわち番組データの再生を時刻ｔ１に開始する。図５の処理が開始されると、追いかけ再生部１３は、再生すべき番組データがハードディスク２１に存在するか否かを判定する（ステップＳ１）。時刻ｔ１の時点では、再生すべき番組データの先頭部分がハードディスク２１に記録されたまま消去されずに残されているので、追いかけ再生部１３は、処理をステップＳ２へ進め、ハードディスク２１から番組データを再生する。したがって、時刻ｔ１においてハードディスク２１からの番組データの再生３３が開始される。時刻ｔ１〜４０分の期間では、再生すべき番組データはハードディスク２１に残されているので、ステップＳ１〜Ｓ２のループが反復して実行される結果、再生３３が継続して行われる。
【００３３】
このように、ハードディスク２１に再生すべき番組データが存在するときには、ＤＶＤ記録媒体２２に優先してハードディスク２１から番組データが読み出される。したがって時刻ｔ１〜４０分の期間では、ＤＶＤ記録媒体２２からの番組データの再生は行われないので、ＤＶＤ記録部１２は図４のステップＳ２１〜Ｓ２３のループを反復して実行し、ＤＶＤ記録媒体２２への番組データの記録３２を継続して行う。
【００３４】
（時刻４０分〜１２０分）
時刻４０分が経過すると、ハードディスク２１に割り当てられた記憶容量は番組データで一杯となる。したがってＨＤＤ記録部１１は、図３のステップＳ１１において空き領域がゼロであると判定し、再生済みの領域が存在するか否かを判定する（ステップＳ１３）。時刻４０分より前の時刻ｔ１に追いかけ再生が始まっており、それ以後には割り当てられた記憶容量に再生済み領域が存在している。すなわち、時刻４０分の時点では、番組の先頭から（４０分−ｔ１）の長さの番組データがすでに再生済みとなっている。したがって、ＨＤＤ記録部１１は、再生済み領域から最も古い（すなわち番組経過時間の最も早い）データ単位を消去し（ステップＳ１４）、それにより作り出された空白領域に新たな番組データを記録する（ステップＳ１２）。時刻４０分から記録が終了する時刻１２０までは、再生済みの領域が存在するので、ステップＳ１１，Ｓ１３，Ｓ１４およびＳ１２のループが反復して実行される結果、ハードディスク２１への番組データの記録３１が継続して行われる。なお、時刻４０分の時点において、ステップＳ１４は１データ単位だけでなく再生済み領域のすべてのデータ単位を一度に消去しても良い。
【００３５】
時刻４０分〜１２０分の期間では、再生すべき番組データはハードディスク２１に残されているので、追いかけ再生部１３は図５のステップＳ１〜Ｓ２のループを反復して実行し、ハードディスク２１からの番組データの再生３３を継続して行う。また、時刻４０分〜１２０分の期間では、ＤＶＤ記録媒体２２からの再生は行われないので、ＤＶＤ記録部１２は図４のステップＳ２１〜Ｓ２３のループを反復して実行し、ＤＶＤ記録媒体２２への番組データの記録３２を継続して行う。
【００３６】
（時刻１２０分経過後）
時刻１２０分において予定された番組データの記録は終了するので、ＨＤＤ記録部１１は、図３の処理を時刻１２０分に終了する。しかしながら、時刻１２０分を経過しても時刻ｔ２までは番組データの再生は終了しないので、追いかけ再生部１３はその期間にわたって図５のステップＳ１〜Ｓ２のループを反復して実行することにより、ハードディスク２１からの番組データの再生３３を継続して行う。
【００３７】
時刻１２０分が経過すると、ＤＶＤ記録媒体２２からの再生は行われておらず（ステップＳ２１）、かつ予定された１２０分の番組データの入力は終了しているので（ステップＳ２２）、ＤＶＤ記録部１２は、予定された１２０分の番組データのうちＤＶＤ記録媒体２２に記録されていない部分があるか否かを判定する（ステップＳ２４）。時刻１２０分が経過した時点でＤＶＤ記録媒体２２には、予定された１２０分の長さの番組データが記録済みであるので、ＤＶＤ記録部１２はステップＳ２５の処理を行うことなく、処理をステップＳ２１へ戻す。それ以後は、ＤＶＤ記録部１２はステップＳ２１，Ｓ２２およびＳ２４の処理を反復するのみであるので、時刻１２０分を経過した時点で図４の処理全体を終了しても良い。
【００３８】
上記の通り時刻１２０分が経過した時点でＤＶＤ記録媒体２２には、予定された１２０分の長さの番組データが記録済みであるので、時刻ｔ２にハードディスク２１からの再生３３が終了すると、ハードディスク２１の割り当てられた記憶容量に記録された番組データはもはや無用である。このため、つぎの番組データの追いかけ再生のためにすべて消去される。図６は時刻１６０分の時点で消去が行われる例を示しているが、一般に、予定された番組データのＤＶＤ記録媒体２２への記録が終了し、かつハードディスク２１からの追いかけ再生が終了した後であれば、いつでも消去可能である。
【００３９】
［2.2.追いかけ再生開始がやや遅い場合］
（時刻０〜４０分）
つぎに図７のパターンに沿って図３〜図５の処理手順を説明する。図７では、４０分≦ｔ１１＜８０分である時刻ｔ１１に追いかけ再生が開始される。時刻０〜４０分の期間では、ハードディスク２１の記憶容量には空き領域が存在するので、ＨＤＤ記録部１１は、図３のステップＳ１１〜Ｓ１２のループを反復することにより、ハードディスク２１への番組データの記録４１を行う。
【００４０】
また、時刻０〜４０分の期間では、ＤＶＤ記録媒体２２からの再生は行われないので、ＤＶＤ記録部１２は、図４のステップＳ２１，Ｓ２２，Ｓ２３のループを反復することにより、ＤＶＤ記録媒体２２への番組データの記録４２を行う。
【００４１】
（時刻４０分〜時刻ｔ１１）
時刻４０分が経過すると、ハードディスク２１に割り当てられた記憶容量は番組データで一杯となる。したがってＨＤＤ記録部１１は、図３のステップＳ１１において空き領域がゼロであると判定し、再生済みの領域が存在するか否かを判定する（ステップＳ１３）。時刻４０分の時点では追いかけ再生は始まっておらず、割り当てられた記憶容量に再生済み領域は存在しない。したがって、ＨＤＤ記録部１１は、番組の先頭から記憶容量分の番組データ、すなわち番組の先頭から４０分の長さの番組データの追いかけ再生が終了しているか否かを判定する（ステップＳ１５）。時刻４０分の時点では、そもそも追いかけ再生自体が開始されていないので、ＨＤＤ記録部１１は、処理をステップＳ１１へ戻す。すなわち、ハードディスク２１に対する番組データの記録も消去も行われない。時刻４０分から時刻ｔ１１までは、再生済みの領域は存在せず、先頭から４０分の長さの番組データの追いかけ再生が終了してもいないので、ステップＳ１１，Ｓ１３およびＳ１５のループが反復して実行される結果、ハードディスク２１への記録が行われず、かつ記録されている番組データの消去も行われない。
【００４２】
時刻４０分〜時刻ｔ１１の期間においても、ＤＶＤ記録媒体２２からの再生は行われないので、ＤＶＤ記録部１２は、図４のステップＳ２１，Ｓ２２，Ｓ２３のループを反復することにより、ＤＶＤ記録媒体２２への番組データの記録４３を行う。
【００４３】
（時刻ｔ１１〜ｔ１２）
追いかけ再生が時刻ｔ１１に開始されるので、追いかけ再生部１３は、図５の処理、すなわち番組データの再生を時刻ｔ１１に開始する。時刻ｔ１１〜ｔ１２の期間では、再生すべき番組データがハードディスク２１に記録されたまま消去されずに残されているので、追いかけ再生部１３は、ステップＳ１〜Ｓ２のループを反復して実行することにより、ハードディスク２１からの番組データの再生４７を行う。なお、時刻ｔ１２は、番組の先頭から４０分長さの番組データの再生が終了する時刻である。
【００４４】
時刻ｔ１１〜ｔ１２では、ハードディスク２１から番組データの再生が行われるので、データ単位の番組データの再生が行われる毎に、このデータ単位分の再生済みの領域が、ハードディスク２１の割り当てられた記憶容量に生み出される。したがってＨＤＤ記録部１１は、図３のステップＳ１１の後、ステップＳ１３の判定において、再生済み領域が存在すると判定することとなる。その結果、ＨＤＤ記録部１１は、データ単位の再生済み領域から番組データを消去し（ステップＳ１４）、それにより作り出された空白領域に新たな番組データを記録する（ステップＳ１２）。すなわち、時刻ｔ１１〜ｔ１２の期間では、ＨＤＤ記録部１１は、ステップＳ１１，Ｓ１３，Ｓ１４およびＳ１２のループを反復して実行することより、ハードディスク２１への番組データの記録４４を行う。
【００４５】
時刻ｔ１１〜ｔ１２の期間では、ＤＶＤ記録媒体２２からの番組データの再生は行われないので、ＤＶＤ記録部１２は図４のステップＳ２１〜Ｓ２３のループを反復して実行し、ＤＶＤ記録媒体２２への記録４５を行う。
【００４６】
（時刻ｔ１２〜１２０分）
時刻ｔ１２が経過すると、再生すべき番組データはもはやハードディスク２１に存在しなくなる。したがって、追いかけ再生部１３は、図５のステップＳ１の判定の後、処理をステップＳ３へ進めて、番組データをＤＶＤ記録媒体２２から再生する。したがって、時刻ｔ１２においてＤＶＤ記録媒体２２からの番組データの再生４８が開始される。
【００４７】
一方、ハードディスク２１に記録される番組データの再生は行われないので、ＨＤＤ記録部１１は、図３のステップＳ１１の後に、ステップＳ１３の判定において、再生済み領域が存在しないと判定することとなる。その結果、ＨＤＤ記録部１１は、番組の先頭から４０分の長さの番組データの追いかけ再生が終了しているか否かを判定する（ステップＳ１５）。番組の先頭から４０分の長さの番組データの追いかけ再生は、時刻ｔ１２に終了しているので、ＨＤＤ記録部１１は、割り当てられた記憶容量に記録される番組データのうち最も古いデータ単位を消去する（ステップＳ１６）。その後、ＨＤＤ記録部１１は、ステップＳ１６により作り出された空白領域に新たな番組データを記録する（ステップＳ１２）。時刻ｔ１２〜１２０分の期間では、ステップＳ１１，Ｓ１３およびＳ１５での判定結果に変わりはないので、ＨＤＤ記録部１１は、この期間にわたってステップＳ１１，Ｓ１３，Ｓ１５，Ｓ１６およびＳ１２のループを反復して実行することにより、ハードディスク２１への番組データの記録４６を行う。
【００４８】
このように、ＨＤＤ記録部１１から、番組データが古い順に消去されるので、時刻ｔ１２〜１２０分の期間では、再生すべき番組データはハードディスク２１に存在しなくなる。したがって時刻ｔ１２〜１２０分の期間では、追いかけ再生部１３は、ステップＳ１およびＳ３のループを反復して実行することにより、ＤＶＤ記録媒体２２からの番組データの再生４８を継続する。
【００４９】
また、ＤＶＤ記録媒体２２からの番組データの再生４８が行われるので、ＤＶＤ記録部１２は、時刻ｔ１２〜１２０分の期間にわたって、図４のステップＳ２１の判定を反復することとなり、ＤＶＤ記録媒体２２への番組データの記録を行わない。
【００５０】
（時刻１２０分〜ｔ１３）
時刻１２０分において予定された番組データの記録は終了するので、ＨＤＤ記録部１１は、図３の処理を時刻１２０分に終了する。これに対して、追いかけ再生部１３は、時刻１２０分経過後も残る番組データの再生を継続する必要がある。時刻１２０分〜ｔ１３の期間では、再生すべき番組データは、ハードディスク２１に存在しないので、追いかけ再生部１３は、この期間においても、図５のステップＳ１およびＳ３のループを反復することにより、引き続きＤＶＤ記録媒体２２からの番組データの再生４８を継続する。
【００５１】
時刻１２０分〜ｔ１３の期間では、ＤＶＤ記録媒体２２からの番組データの再生４８が行われることから、ＤＶＤ記録部１２は、この期間においても、図４のステップＳ２１の判定を反復することとなり、ＤＶＤ記録媒体２２への番組データの記録は行わない。
【００５２】
（時刻ｔ１３経過後）
時刻ｔ１３が経過すると、再生すべき番組データがハードディスク２１に見出される。したがって、時刻ｔ１３から追いかけ再生が終了する時刻ｔ１４までの期間では、追いかけ再生部１３は図５のステップＳ１およびＳ２のループを反復することにより、ハードディスク２１からの番組データの再生４９を行う。
【００５３】
したがって時刻ｔ１３経過後はＤＶＤ記録媒体２２からの番組データの再生は行われないので、ＤＶＤ記録部１２は、図４のステップＳ２１の判定の後、ステップＳ２２の判定を行う。予定された１２０分の番組データの入力は、時刻１２０分においてすでに終了しているので、ＤＶＤ記録部１２は、予定された１２０分の番組データのうちＤＶＤ記録媒体２２に記録されていない部分があるか否かを判定する（ステップＳ２４）。番組データのうち、記録４６によりハードディスク２１へ記録された部分については、ＤＶＤ記録媒体２２には記録されていないので、ＤＶＤ記録媒体２２は、この未記録の部分をハードディスク２１から読み出し、ＤＶＤ記録媒体２２へ記録する。この複製５０は時刻１６０分に終了し、それによりＤＶＤ記録部１２は図４の処理を終了する。
【００５４】
一方、追いかけ再生部１３は、時刻ｔ１３が経過した後も残る番組データの再生を継続する必要がある。時刻ｔ１３が経過した後では、再生すべき番組データがハードディスク２１に存在するので、追いかけ再生部１３は、時刻ｔ１３から追いかけ再生が終了する時刻ｔ１４までの期間にわたって、図５のステップＳ１およびＳ２のループを反復することにより、ハードディスク２１からの番組データの再生４９を行う。
【００５５】
時刻ｔ１４が経過した時点では、予定された番組データのＤＶＤ記録媒体２２への記録は終了しており、かつハードディスク２１からの追いかけ再生も終了している。したがって、時刻ｔ１４経過後であれば、ハードディスク２１の割り当てられた記憶容量に記録された番組データは、いつでも消去可能であり、時刻ｔ１４経過と同時に消去することも可能である。図７の例では時刻ｔ１５に消去が行われている。
【００５６】
［2.3.追いかけ再生開始が遅い場合］
（時刻０〜４０分）
つぎに図８のパターンに沿って図３〜図５の処理手順を説明する。図８では、８０分≦ｔ２１＜１２０分である時刻ｔ２１に追いかけ再生が開始される。時刻０〜４０分の期間では、図７の時刻０〜４０分の期間における処理と同様の処理が行われる。その結果、ハードディスク２１への番組データの記録５１およびＤＶＤ記録媒体２２への番組データの記録５２が行われる。
【００５７】
（時刻４０分〜ｔ２１）
時刻４０分〜ｔ２１の期間では、図７の時刻４０分〜ｔ１１の期間における処理と同様の処理が行われる。その結果、ハードディスク２１への番組データの記録は行われず、ＤＶＤ記録媒体２２への番組データの記録５３のみが行われる。
【００５８】
（時刻ｔ２１〜１２０分）
時刻ｔ２１〜１２０分の期間では、図７の時刻ｔ１１〜８０分の期間における処理と同様の処理が行われる。その結果、ハードディスク２１への番組データの記録５４とＤＶＤ記録媒体２２への番組データの記録５５とが行われるとともに、ハードディスク２１からの番組データの再生５６が行われる。
【００５９】
（時刻１２０分〜ｔ２２）
時刻１２０分を経過した時点で、ＨＤＤ記録部１１は図３の処理を終了するので、ハードディスク２１に記録された番組データは、図３のステップＳ１４を通じて消去されることはなく、そのまま残される（ただし、すべての番組データが最終的に消去される時刻ｔ２５まで）。したがって、ハードディスク２１に記録されている番組データの再生が終了する時刻ｔ２２までは、ハードディスク２１には再生すべき番組データがハードディスク２１に存在している。したがって、時刻１２０分〜ｔ２２の期間では、追いかけ再生部１３は、引き続きステップＳ１およびＳ２のループを反復することにより、ハードディスク２１からの番組データの再生５６を継続する。
【００６０】
時刻１２０分〜ｔ２２の期間では、ＤＶＤ記録媒体２２からの番組データの再生は行われず、しかも予定された１２０分の番組データの入力はすでに終了しているので、ＤＶＤ記録部１２は、予定された１２０分の番組データのうちＤＶＤ記録媒体２２に記録されていない部分があるか否かを判定する（ステップＳ２４）。ＤＶＤ記録媒体２２への番組データの記録５２，５３および５５を通じて、予定された番組データのすべてがＤＶＤ記録媒体２２に記録されているので、ＤＶＤ記録部１２は、番組データの複製（ステップＳ２５）を行わずに、処理をステップＳ２１へ戻す。ＤＶＤ記録部１２は、この時点で図４の処理を終了しても良い。
【００６１】
（時刻ｔ２２〜ｔ２３）
時刻ｔ２２〜ｔ２３の期間では、図７の時刻ｔ１２〜ｔ１３の期間と同様に、再生すべき番組データはハードディスク２１に存在しない。したがって、追いかけ再生部１３は、図５のステップＳ１およびＳ３のループを反復することにより、ＤＶＤ記録媒体２２からの番組データの再生５７を行う。したがって、ＤＶＤ記録部１２は、図４の処理を終了していないのであれば、この期間にわたってステップＳ２１の判定処理を反復することとなる。
【００６２】
（時刻ｔ２３経過後）
時刻ｔ２３が経過した後では、再生すべき番組データがハードディスク２１に存在する。したがって、時刻ｔ２３から追いかけ再生が終了する時刻ｔ２４までの期間では、追いかけ再生部１３は図５のステップＳ１およびＳ２のループを反復することにより、ハードディスク２１からの番組データの再生５８を行う。
【００６３】
したがって時刻ｔ２３経過後はＤＶＤ記録媒体２２からの番組データの再生は行われず、しかも予定された１２０分の番組データの入力はすでに終了しているので、ＤＶＤ記録部１２は図４の処理を終了していないのであれば、時刻１２０分〜ｔ２２の期間と同様に、ＤＶＤ記録媒体２２に対して番組データの記録も再生も行うことなく、ステップＳ２１，Ｓ２２およびＳ２４のループを反復することとなる。
【００６４】
時刻ｔ２４が経過した時点では、予定された番組データのＤＶＤ記録媒体２２への記録は終了しており、かつハードディスク２１からの追いかけ再生も終了している。したがって、時刻ｔ２４経過後であれば、ハードディスク２１の割り当てられた記憶容量に記録された番組データは、いつでも消去可能であり、時刻ｔ２４経過と同時に消去することも可能である。図８の例では時刻ｔ２５に消去が行われている。
【００６５】
以上のように、番組記録再生装置２００では、記録と再生が同時に可能なハードディスク２１には、割り当てられた記憶容量に空きがあれば、入力される番組データが記録され、記憶容量に空きがない場合に、記録された番組データのうち追いかけ再生済みのものがあれば、これを消去して入力される番組データが記録され、記憶容量に空きがない場合に、番組データの先頭から記憶容量分（図６〜図８の例では４０分の長さの番組データを記録可能な容量）の追いかけ再生が終了しておれば、記録されている番組データのうち最も古いものを消去して、入力される番組データが記録される。また、記録と再生が選択的にのみ可能なＤＶＤ記録媒体２２については、このＤＶＤ記録媒体２２から番組データの追いかけ再生が行われていなければ入力される番組データが記録され、番組データの入力が終了した後にＤＶＤ記録媒体２２に記録されていない番組データの部分があれば、この部分がハードディスク２１からコピーされる。さらに、追いかけ再生については、追いかけ再生すべき番組データがハードディスク２１にあるときはハードディスク２１から番組データの追いかけ再生が行われ、追いかけ再生すべき番組データがハードディスク２１にないときはＤＶＤ記録媒体２２から番組データの追いかけ再生が行われる。このため、ハードディスク２１に割り当てられた記憶容量の最大３倍のデータ量の番組データを、任意の時点から追いかけ再生しつつＤＶＤ記録媒体２２に記録することができる。
【００６６】
ハードディスク２１に割り当てる記憶容量について、例えば、ハードディスク２１の総記憶容量のすべてを割り当てる形態、あるいはその一部を割り当てる形態のいずれをも採ることができる。また、記録すべき番組データ毎に、記憶容量を割り当てても良い。例えば、記録すべき番組データが１２０分番組の番組データであれば、１２０分の３分の１に相当する４０分の長さの番組データを記録可能な記憶容量を割り当て、６０分番組であれば、６０分の３分の１に相当する２０分の長さの番組データを記録可能な記憶容量を割り当ててもよい。あるいは、それよりも大きい記憶容量を割り当てることも当然に可能である。例えば、記録すべき番組データが１２０分番組の番組データであれば、１２０分の３分の１に相当する４０分よりも長い番組データを記録可能な記憶容量を割り当て、６０分番組であれば、６０分の３分の１に相当する２０分よりも長い番組データを記録可能な記憶容量を割り当ててもよい。
【００６７】
図６〜図８では、記録すべき番組データが、ハードディスク２１に割り当てられた記憶容量の３倍のデータ量である例を示した。しかしながら、図３〜図５の処理手順によって、記録すべき番組データが、ハードディスク２１に割り当てられた記憶容量の３倍未満のデータ量である場合にも、番組データの記録及び追いかけ再生が達成されることは、図６〜図８から自明である。なぜなら、記録すべき番組データが、ハードディスク２１に割り当てられた記憶容量の３倍未満である場合には、図６〜図８において、１２０分より短い番組経過時間（図において１２０分より低い縦軸の値）において、番組が終了するに過ぎないからである。例えば、ハードディスク２１に割り当てられた記憶容量が、図６〜図８で想定された４０分長さの番組データを記録可能な大きさであり、記録が予定されている番組データが１２０分よりも短い８０分の長さのものである場合には、記録及び再生に関するタイミングチャートは、図６〜図８において、縦軸の番組経過時間が８０分から１２０分までの領域を単に削除した図によって表現されるに過ぎない。
【００６８】
［2.4.一時停止がある場合］
図３〜図５の処理手順は、追いかけ再生の中途でユーザの指示等による再生の一時停止がある場合にも、番組データの記録及び追いかけ再生を達成する。図９〜図１２は、このことを実証するためのタイミングチャートであり、図６〜図８と同様に、図３〜図５の手順にもとづいて行われる番組データの記録および再生の時間に沿った流れを示している。また、図６〜図８と同じく、ハードディスク２１には４０分の長さの番組データを記録可能な記憶容量が割り当てられているものとし、記録が予定された番組データは１２０分の長さのものであるとしている。図９は、追いかけ再生が記録開始から４０分経過前に開始され、かつ番組の先頭から４０分までの再生が終了する前に再生の一時停止が行われた場合、図１０は、追いかけ再生が記録開始から４０分経過前に開始され、かつ番組の先頭から４０分までの再生が終了した後に再生の一時停止が行われた場合、図１１は、追いかけ再生が記録開始から４０分経過後に開始された場合、図１２は図９の場合を例として一時停止の期間が長い場合の記録・再生のパターンを表している。
【００６９】
（図９のパターン）
はじめに図９のパターンについて説明する。図９では、０≦ｔ２９＜４０分である時刻ｔ２９に追いかけ再生が開始され、４０分≦ｔ３０＜８０分である時刻ｔ３０に再生の一時停止が開始され、ｔ３０＜ｔ３２≦８０分である時刻ｔ３２に再生の一時停止が解除される。時刻０〜ｔ３０の期間では、図６の同一期間における処理と同様の処理が行われる。その結果、ハードディスク２１への番組データの記録５１およびＤＶＤ記録媒体２２へ番組データの記録５２が行われるとともに、時刻ｔ２９以降にはハードディスク２１から番組データの再生５７が行われる。
【００７０】
時刻ｔ３０〜ｔ３２の期間にわたって再生が一時停止する。再生の一時停止５８は、追いかけ再生部１３が図５の処理を一時停止の期間にわたって停止することにより実現する。この期間のうち、時刻ｔ３０〜ｔ３１の期間では、ハードディスク２１に割り当てられた記憶容量には空き領域が存在するので、記録５１は継続される。なお、時刻ｔ３１は、ハードディスク２１の割り当てられた記憶容量に空き領域がなくなる時刻である。
【００７１】
また、ＤＶＤ記録媒体２２からの再生は行われないので、記録５２も継続される。一方、時刻ｔ３１〜ｔ３２の期間では、ハードディスク２１の割り当てられた記憶容量が一杯となり、かつ再生が行われないために再生済み領域が存在しなくなる。しかも、番組の先頭から４０分の長さの番組データの追いかけ再生は終了していない。したがって、ＨＤＤ記録部１１は、図３のステップＳ１１，Ｓ１３およびＳ１５のループを反復することとなる。その結果、ハードディスク２１への記録は行われず、かつ記録されている番組データの消去も行われない。したがって、ＤＶＤ記録媒体２２への番組データの記録５３のみが行われる。
【００７２】
再生を再開した後の時刻ｔ３２〜ｔ３３の期間では、再生すべき番組データがハードディスク２１に残っているので、ハードディスク２１から番組データの再生５９が行われる。再生が行われるために、再生済みの領域がハードディスク２１の割り当てられた記憶容量に生み出されるので、ＨＤＤ記録部１１は、ステップＳ１１，Ｓ１３，Ｓ１４およびＳ１２のループを反復することにより、ハードディスク２１への番組データの記録５４を行う。また、ＤＶＤ記録媒体２２からの再生は行われないので、引き続きＤＶＤ記録媒体２２への番組データの記録５５も行われる。
【００７３】
時刻ｔ３３以後の期間では、図７の時刻ｔ１２以後の期間における処理と同様の処理が行われる。したがって、時刻ｔ３３〜１２０分の期間では、ＤＶＤ記録媒体２２への番組データの記録は行われず、ハードディスク２１への記録５６のみが行われる。また、時刻ｔ３３〜ｔ３４の期間では、ＤＶＤ記録媒体２２から番組データの再生６０が行われる。さらに、時刻ｔ３４〜ｔ３５の期間では、ハードディスク２１からＤＶＤ記録媒体２２への番組データの複製６２が行われ、時刻ｔ３４〜ｔ３６の期間では、ハードディスク２１から番組データの再生６１が行われる。その後、例えば時刻ｔ３７にハードディスク２１の割り当てられた記憶容量から番組データが消去される。
【００７４】
（図１０のパターン）
つぎに図１０のパターンについて説明する。図１０では、０≦ｔ３９＜４０分である時刻ｔ３９に追いかけ再生が開始され、時刻８０分に再生の一時停止７５が開始され、８０分＜ｔ４１である時刻ｔ４１に再生の一時停止７５が解除される。時刻０〜８０分の期間では、図６の同一期間における処理と同様の処理が行われる。その結果、ハードディスク２１への番組データの記録７１およびＤＶＤ記録媒体２２への番組データの記録７２が行われるとともに、時刻ｔ３９以降にはハードディスク２１から番組データの再生７４が行われる。
【００７５】
時刻８０分〜ｔ４１の期間にわたって再生が一時停止する。この期間のうち、時刻８０分〜ｔ４０の期間では、ハードディスク２１に割り当てられた記憶容量には空き領域が存在するので、記録７１は継続される。また、ＤＶＤ記録媒体２２からの再生は行われないので、記録７２も継続される。なお、時刻ｔ４０は、ハードディスク２１に割り当てられた記憶容量に、空き領域が存在しなくなる時刻である。一方、時刻ｔ４０〜ｔ４１の期間では、ハードディスク２１の割り当てられた記憶容量が一杯となり、かつ再生が行われないために再生済み領域が存在しなくなる。しかし、番組の先頭から４０分の長さの番組データの追いかけ再生はすでに終了しているので、ＨＤＤ記録部１１は、図３のステップＳ１１，Ｓ１３，Ｓ１５，Ｓ１６およびＳ１２のループを反復することとなる。その結果、ハードディスク２１への記録７１は継続して行われる。ＤＶＤ記録媒体２２への番組データの記録７２も同様に継続される。
【００７６】
再生を再開した時刻ｔ４１以後の期間では、図７の時刻ｔ１２以後の期間における処理と同様の処理が行われる。したがって、時刻ｔ４１〜ｔ４２の期間では、ＤＶＤ記録媒体２２から番組データの再生７６が行われ、時刻ｔ４１〜１２０分の期間では、ＤＶＤ記録媒体２２への番組データの記録は行われず、ハードディスク２１への記録７３のみが行われる。また、時刻ｔ４２〜ｔ４３の期間では、ハードディスク２１からＤＶＤ記録媒体２２へ番組データの複製７８が行われる。さらに、時刻ｔ４２〜ｔ４４の期間では、ハードディスク２１から番組データの再生７７が行われる。その後、例えば時刻ｔ４５にハードディスク２１の割り当てられた記憶容量から番組データが消去される。
【００７７】
（図１１のパターン）
つぎに図１１のパターンについて説明する。図１１では、４０分≦ｔ５１である時刻ｔ５１に追いかけ再生が開始され、ｔ５１＜ｔ５２である時刻ｔ５２に再生の一時停止９０が開始され、ｔ５２＜ｔ５３である時刻ｔ５３に再生の一時停止９０が解除される。時刻０〜ｔ５２の期間では、図７の同一期間における処理と同様の処理が行われる。その結果、時刻０〜４０分の期間では、ハードディスク２１への番組データの記録８１およびＤＶＤ記録媒体２２への番組データの記録８２が行われ、時刻４０分〜ｔ５１の期間では、ハードディスク２１への番組データの記録は行われずＤＶＤ記録媒体２２への番組データの記録８３のみが行われる。また、時刻ｔ５１〜ｔ５２の期間では、ハードディスク２１から番組データの再生８９が行われるとともに、ハードディスク２１への番組データの記録８４およびＤＶＤ記録媒体２２への番組データの記録８５の双方が行われる。
【００７８】
時刻ｔ５２〜ｔ５３の期間にわたって再生が一時停止する。この期間では、ハードディスク２１の割り当てられた記憶容量が一杯となり、かつ再生が行われないために再生済み領域が存在しなくなる。しかも、番組の先頭から４０分の長さの番組データの追いかけ再生は未だ終了していないので、ＨＤＤ記録部１１は、図３のステップＳ１１，Ｓ１３およびＳ１５のループを反復することとなる。その結果、ハードディスク２１への番組データの記録は行われず、ＤＶＤ記録媒体２２への番組データの記録８６のみが行われる。
【００７９】
再生を再開した時刻ｔ５３から時刻ｔ５４では、再生すべき番組データがハードディスク２１に記録されたまま消去されずに残されているので、追いかけ再生部１３は、ステップＳ１〜Ｓ２のループを反復して実行することにより、ハードディスク２１からの番組データの再生９２を行う。なお、時刻ｔ５４は、番組の先頭から４０分長さの番組データの再生が終了する時刻である。時刻ｔ５３〜ｔ５４では、ハードディスク２１から番組データの再生が行われるので、ハードディスク２１の割り当てられた記憶容量に再生済みの領域が生み出される。したがってＨＤＤ記録部１１は、図３のステップＳ１１，Ｓ１３，Ｓ１４およびＳ１２のループを反復して実行することより、ハードディスク２１への番組データの記録８７を行う。時刻ｔ５３〜ｔ５４の期間では、ＤＶＤ記録媒体２２からの番組データの再生は行われないので、ＤＶＤ記録部１２は図４のステップＳ２１〜Ｓ２３のループを反復して実行し、ＤＶＤ記録媒体２２への記録８８を行う。
【００８０】
時刻ｔ５４〜ｔ５５の期間では、再生すべき番組データはハードディスク２１に存在しないので、ＤＶＤ記録媒体２２から番組データの再生９３が行われる。したがって、時刻ｔ５４〜１２０分の期間では、ＤＶＤ記録媒体２２への番組データの記録は行われず、ハードディスク２１への記録９８のみが行われる。
【００８１】
時刻ｔ５５〜ｔ５７の期間では、再生すべき番組データがハードディスク２１に存在するので、ハードディスク２１から番組データの再生９４が行われる。このため、時刻ｔ５５〜ｔ５６の期間では、番組データのうち記録９８によりハードディスク２１にのみ記録された部分のＤＶＤ記録媒体２２への複製９７が行われる。
【００８２】
時刻ｔ５７〜ｔ５８の期間では、再生すべき番組データがハードディスク２１に存在しないので、ＤＶＤ記録媒体２２から番組データの再生９５が行われる。つづく時刻ｔ５８〜ｔ５９の期間では、再生すべき番組データがハードディスク２１に存在するので、ハードディスク２１から番組データの再生９６が行われる。その後、例えば時刻ｔ６０にハードディスク２１に割り当てられた記憶容量から番組データが消去される。
【００８３】
（図１２のパターン）
つぎに図１２のパターンについて説明する。図１２では、０≦ｔ６１＜４０分である時刻ｔ６１に追いかけ再生が開始され、ｔ６１＜ｔ６２＜４０分である時刻ｔ６２に再生の一時停止１０７が開始され、８０分＜ｔ６４である時刻ｔ６４に再生の一時停止１０７が解除される。
【００８４】
時刻０〜１２０分の期間では、図９の時刻０〜ｔ３３の期間における処理と同様の処理が行われる。その結果、時刻０〜ｔ６３の期間では、ハードディスク２１への番組データの記録１０１とＤＶＤ記録媒体２２への番組データの記録１０２の双方が行われる。また、時刻ｔ６１〜ｔ６２の期間では、ハードディスク２１から番組データの再生１０６が行われる。また、時刻ｔ６３〜ｔ６４の期間では、ＤＶＤ記録媒体２２への番組データの記録１０３が行われる。さらに、時刻ｔ６４〜１２０分では、ハードディスク２１からの番組データの再生１０８が行われるとともに、ハードディスク２１への番組データの記録１０４およびＤＶＤ記録媒体２２への番組データの記録１０５が行われる。
【００８５】
時刻１２０分〜ｔ６５の期間では、再生すべき番組データがハードディスク２１に存在するので、ハードディスク２１からの番組データの再生１０８が継続して行われる。番組データのうちＤＶＤ記録媒体２２に記録されない部分は存在しないので、ハードディスク２１からＤＶＤ記録媒体２２への番組データの複製は行われない。時刻ｔ６５〜ｔ６６の期間では、再生すべき番組データがハードディスク２１に存在しないので、ＤＶＤ記録媒体２２から番組データの再生１０９が行われる。時刻ｔ６６〜２００分の期間では、再生すべき番組データがハードディスク２１に存在するので、ハードディスク２１から番組データの再生１１０が行われる。その後、例えば時刻ｔ６７にハードディスク２１に割り当てられた記憶容量から番組データが消去される。
【００８６】
以上のように、番組記録再生装置２００では、追いかけ再生の中途で再生の中止があっても、ハードディスク２１に割り当てられた記憶容量の３倍のデータ量の番組データを、記録及び追いかけ再生することが可能である。
【００８７】
［３．変形例］
（１）番組記録再生装置２００はチューナ２３を有し、ＴＶ放送番組データを記録および再生する装置として構成されたが、本発明のデータ記録再生装置は、ＴＶ放送による画像と音声を含む番組データだけでなく、ラジオ放送による番組データ、あるいは文字放送による番組データなど、任意の番組データを記録および再生する装置として実施することが可能である。また、番組としてデータの供給の時間があらかじめ定められ、局からデータ記録再生装置へ一方的にデータの供給が行われる形態だけでなく、データ記録再生装置の側の要求に応じて、例えばインタネット等のネットワークを介するなどにより、リアルタイムで音声および／または画像のデータの供給を受ける形態についても、本発明のデータ記録再生装置は適用可能である。さらに、ユーザが家庭内で市販の記録媒体から音声および／または画像のデータを、いわゆるダビングするために、それらのデータを入力する形態についても、本発明のデータ記録再生装置は適用可能である。また、データの内容として音声および／または画像が代表例であり、この場合に追いかけ再生の意義が顕著に現れるが、本発明のデータ記録再生装置は、広く音声、画像以外のデータをも記録及び再生の対象とすることができる。
【００８８】
（２）番組記録再生装置２００では、番組データの記録と再生とを同時に行い得る記録媒体としてハードディスク２１を用い、記録と再生の一方のみを選択的に行い得る記録媒体としてＤＶＤ記録媒体２２を用いた。しかし、ハードディスク２１の代わりに、例えば半導体メモリを用いることも可能であり、ＤＶＤ記録媒体２２の代わりに、ＣＤ（コンパクトディスク）、ＰＤ（Phase change rewritable Disk）あるいはBlu-ray Disk（ブルーレイディスク）を使用することも可能である。
【産業上の利用可能性】
【００８９】
本発明のデータ記録再生装置、データ記録再生装置用プログラムおよびデータ記録再生方法では、記録と再生とが同時に可能な第１記録媒体の有効利用を図ることができ、データ記録再生装置の製造コストを節減することができる。
【図面の簡単な説明】
【００９０】
【図１】本発明の実施形態によるデータ記録再生装置の構成を示すブロック図である。
【図２】図１の装置の各要素と特徴的機能を実現する要素との関係を示すブロック図である。
【図３】図２のＨＤＤ記録部の処理手順を示すフローチャートである。
【図４】図２のＤＶＤ記録部の処理手順を示すフローチャートである。
【図５】図２の追いかけ再生部の処理手順を示すフローチャートである。
【図６】図３〜図５の手順にもとづく記録および再生の動作を説明するタイミングチャートである。
【図７】図３〜図５の手順にもとづく記録および再生の動作を説明するタイミングチャートである。
【図８】図３〜図５の手順にもとづく記録および再生の動作を説明するタイミングチャートである。
【図９】再生の一時停止がある場合の図３〜図５の手順にもとづく記録および再生の動作を説明するタイミングチャートである。
【図１０】再生の一時停止がある場合の図３〜図５の手順にもとづく記録および再生の動作を説明するタイミングチャートである。
【図１１】再生の一時停止がある場合の図３〜図５の手順にもとづく記録および再生の動作を説明するタイミングチャートである。
【図１２】再生の一時停止がある場合の図３〜図５の手順にもとづく記録および再生の動作を説明するタイミングチャートである。
【符号の説明】
【００９１】
１１  ＨＤＤ記録部（第１記録手段）
１２  ＤＶＤ記録部（第２記録手段）
１３  追いかけ再生部（追いかけ再生手段）
２１  ハードディスク（第１記録媒体）
２２  ＤＶＤ記録媒体（第２記録媒体）
２００  番組記録再生装置（データ記録再生装置）
【図１】
2005033663.tif 000003
【図２】
2005033663.tif 000004
【図３】
2005033663.tif 000005
【図４】
2005033663.tif 000006
【図５】
2005033663.tif 000007
【図６】
2005033663.tif 000008
【図７】
2005033663.tif 000009
【図８】
2005033663.tif 000010
【図９】
2005033663.tif 000011
【図１０】
2005033663.tif 000012
【図１１】
2005033663.tif 000013
【図１２】
2005033663.tif 000014